(57)【要約】【課題】  着用後においても充分な伸縮性を有する開閉式使い捨てパンツを提供すること。【解決手段】  後背部Ｑと、この後背部Ｑから幅方向の両側へ延びる左右前帯部Ｐ１、Ｐ２と、上記後背部Ｑから延び、着用者の股下を通して前腹部側へ折り返し可能な吸収性本体３とを有し、胴回りに巻き付けられた両前帯部Ｐ１、Ｐ２と折り返された吸収性本体３とを着用者の前腹側で止着した形態として着用可能な開閉式使い捨ておむつ１において、上記後背部Ｑ及び両前帯部Ｐ１、Ｐ２には、着用時における着用者の胴回りに沿うように、弾性部材２０、３７、３８が幅方向に沿って伸張状態で添設されている。【選択図】      図１
2005270359.tif 000002
【特許請求の範囲】
【請求項１】
後背部と、この後背部から幅方向の両側へ延びる前帯部と、上記後背部から延び、着用者の股下を通して前腹側へ折り返し可能な吸収性本体とを有し、前帯部を着用者の胴回りに巻き付けた状態で保持するとともに、吸収性本体を前腹側へ折り返した状態で保持した形態として着用可能な開閉式使い捨てパンツにおいて、
上記後背部及び両前帯部には、着用時における着用者の胴回りに沿うように、弾性部材が幅方向に沿って伸張状態で添設されていることを特徴とする開閉式使い捨てパンツ。
【請求項２】
請求項１に記載の開閉式使い捨てパンツにおいて、上記弾性部材は、着用時の形態においてウエスト開口部の一部を構成する後背部の縁部に沿って配設された後ウエスト用弾性部材と、着用者の臀部付近の位置に対応して後背部に配設された後ボディフィット用弾性部材とを備え、上記後ウエスト用弾性部材は、後ボディフィット用弾性部材よりも大きな張力に設定されていることを特徴とする開閉式使い捨てパンツ。
【請求項３】
請求項１又は請求項２に記載の開閉式使い捨てパンツにおいて、上記吸収性本体は、着用者の前腹側で前帯部に対して剥離可能に止着することにより、折り返された状態を保持するように構成され、この吸収性本体には、着用時における着用者の胴回りに沿うように、前ウエスト用弾性部材が幅方向に沿って伸張状態で添設され、この前ウエスト用弾性部材は、前帯部との止着位置に対応して配設されていることを特徴とする開閉式使い捨てパンツ。
【請求項４】
請求項１乃至請求項３の何れかに記載の開閉式使い捨てパンツにおいて、上記各前帯部は、後背部と別体に形成され、それぞれ後背部の両側に接合されていることを特徴とする開閉式使い捨てパンツ。
【請求項５】
請求項１乃至請求項４の何れかに記載の開閉式使い捨てパンツにおいて、上記各前帯部は、着用者の胴回りに巻き付けられた状態で、相手の前帯部に対して止着及び剥離可能な止着部を備え、この止着部は、少なくとも一方の前帯部から、当該前帯部の後背部に対する伸張方向に沿って突出する摘み部に形成されていることを特徴とする開閉式使い捨てパンツ。
【請求項６】
請求項１乃至請求項５の何れかに記載の開閉式使い捨てパンツにおいて、上記両前帯部が相手の前帯部との間でウエスト開口部を形成した状態で分断可能に結合されているとともに、これら前帯部に対して上記吸収性本体が剥離可能に止着した初期形態から、吸収性本体が各前帯部から剥離されているとともに、各前帯部が分断された形態に展開可能に構成されていることを特徴とする開閉式使い捨てパンツ。
【請求項７】
請求項１又は請求項２に記載の開閉式使い捨てパンツにおいて、上記後背部から前方へ延びる延長部をさらに備え、この延長部は、着用者の前腹側へ折り返された姿勢で、胴回りに巻き付けられた前帯部に対して剥離可能に止着することにより、吸収性本体を前腹側へ折り返した状態を保持するように構成されているとともに、この延長部には、止着位置に対応して前ウエスト用弾性部材が幅方向に沿って伸張状態で添設されていることを特徴とする開閉式使い捨てパンツ。
【発明の詳細な説明】
【技術分野】
【０００１】
本発明は、開閉式使い捨てパンツに関するものである。
【背景技術】
【０００２】
一般に、後背部と、この後背部から幅方向の両側へ延びる前帯部と、上記後背部から股下を通して着用者の前腹側へ折り返し可能な吸収性本体とを有し、胴回りに巻き付けられた前帯部と折り返された吸収性本体とを着用者の前腹側で止着した形態で着用可能な開閉式使い捨てパンツが知られている。
【０００３】
この種の使い捨てパンツは、ウエスト開口部を構成する後背部の縁部、又は後背部に対する前帯部の付け根部分に弾性部材を備えており（例えば、特許文献１又は２）、これら弾性部材によって着用時の伸縮性が確保されている。
【特許文献１】特開平９−１５４８８４号公報
【特許文献２】特開２００３−１５３９４３号公報
【発明の開示】
【発明が解決しようとする課題】
【０００４】
しかしながら、上記特許文献１及び２の開閉式使い捨てパンツは、後背部の縁部及び前帯部の付け根部分にのみ弾性部材が設けられているので、着用後においては、着用者の胴回りで弾性部材が点在することになり伸縮性が比較的乏しかった。そのため、着用後、身体に対するパンツの位置を調整する場合に調整可能な範囲が小さくなり、実際には一旦展開してからでないとパンツの位置調整ができないことも多かった。
【０００５】
本発明は、上記課題に鑑みてなされたものであり、着用後においても充分な伸縮性を有する開閉式使い捨てパンツを提供することを目的としている。
【課題を解決するための手段】
【０００６】
上記課題を解決するために本発明は、後背部と、この後背部から幅方向の両側へ延びる前帯部と、上記後背部から延び、着用者の股下を通して前腹側へ折り返し可能な吸収性本体とを有し、前帯部を着用者の胴回りに巻き付けた状態で保持するとともに、吸収性本体を前腹側へ折り返した状態で保持した形態として着用可能な開閉式使い捨てパンツにおいて、上記後背部及び両前帯部には、着用時における着用者の胴回りに沿うように、弾性部材が幅方向に沿って伸張状態で添設されていることを特徴とするものである。
【０００７】
上記開閉式使い捨てパンツにおいて、上記弾性部材は、着用時の形態においてウエスト開口部の一部を構成する後背部の縁部に沿って配設された後ウエスト用弾性部材と、着用者の臀部付近の位置に対応して後背部に配設された後ボディフィット用弾性部材とを備え、上記後ウエスト用弾性部材は、後ボディフィット用弾性部材よりも大きな張力に設定されていることが好ましい。
【０００８】
上記開閉式使い捨てパンツにおいて、上記吸収性本体は、着用者の前腹側で前帯部に対して剥離可能に止着することにより、折り返された状態を保持するように構成され、この吸収性本体には、着用時における着用者の胴回りに沿うように、前ウエスト用弾性部材が幅方向に沿って伸張状態で添設され、この前ウエスト用弾性部材は、前帯部との止着位置に対応して配設されていることが好ましい。
【０００９】
上記開閉式使い捨てパンツにおいて、上記各前帯部は、後背部と別体に形成され、それぞれ後背部の両側に接合されていることが好ましい。
【００１０】
上記開閉式使い捨てパンツにおいて、上記各前帯部は、着用者の胴回りに巻き付けられた状態で、相手の前帯部に対して止着及び剥離可能な止着部を備え、この止着部は、少なくとも一方の前帯部から、当該前帯部の後背部に対する伸張方向に沿って突出する摘み部に形成されていることが好ましい。
【００１１】
上記開閉式使い捨てパンツにおいて、上記両前帯部が相手の前帯部との間でウエスト開口部を形成した状態で分断可能に結合されているとともに、これら前帯部に対して上記吸収性本体が剥離可能に止着した初期形態から、吸収性本体が各前帯部から剥離されているとともに、各前帯部が分断された形態に展開可能に構成されていることが好ましい。
【００１２】
上記開閉式使い捨てパンツにおいて、上記後背部から前方へ延びる延長部をさらに備え、この延長部は、着用者の前腹側へ折り返された姿勢で、胴回りに巻き付けられた前帯部に対して剥離可能に止着することにより、吸収性本体を前腹側へ折り返した状態を保持するように構成されているとともに、この延長部には、止着位置に対応して前ウエスト用弾性部材が幅方向に沿って伸張状態で添設されていることが好ましい。
【発明の効果】
【００１３】
本発明によれば、弾性部材が着用者の胴回りに沿うように後背部及び前帯部に対して添設されているため、両前帯部を胴回りに巻き付ける場合に後背部及び前帯部を伸縮させるといった着用時の伸縮性だけでなく、着用後に着用者の胴回りに連続して弾性部材が配置される結果、着用後においても十分な伸縮性を発揮することができる。
【００１４】
したがって、本発明では、着用後、身体に対するパンツの位置を調整する場合に調整可能な範囲が大きくなり、着用したままパンツの位置を調整することができるので、パンツの利便性を向上させることができる。
【００１５】
後ウエスト用弾性部材と後ボディフィット用弾性部材とを備えた構成によれば、後背部のウエスト開口部に対応する個所が大きく縮み、臀部を被覆する個所が比較的緩く縮むこととなり、着用時にパンツがずれ落ちてしまうのを防止しつつ、後背部を着用者の臀部にフィットさせることができる。
【００１６】
吸収性本体に前ウエスト用弾性部材を備えた構成によれば、前帯部の伸縮性を阻害することなく、前帯部に対して吸収性本体を止着することができる。
【００１７】
後背部と各前帯部とを別体にした構成によれば、これら両部を別工程で製造することができるので、製造工程の順序等を柔軟に変更することができる。
【００１８】
前帯部に対して止着部を有する摘み部を形成した構成によれば、着用者は、摘み部を摘んで前帯部を伸張させつつ、当該前帯部を相手の前帯部に止着することができる一方、摘み部を相手の前帯部から剥離させることにより両前帯部を剥離させることができるので、使い捨てパンツの着用及び展開を容易に行うことができる。
【００１９】
初期形態と各前帯部が分断された形態との間で展開可能とした構成によれば、初期形態とされたパンツを、ズボンを穿くように着用し、着用後、必要が生じた場合（例えば、パンツの位置ずれを調整する場合）に両前帯部を分断してパンツを展開することができる。
【００２０】
延長部に前ウエスト用弾性部材を備えた構成によれば、前帯部の伸縮性を阻害することなく、前帯部に対して延長部を止着することができる。
【発明を実施するための最良の形態】
【００２１】
以下、本発明を実施するための最良の形態について、図面を参照しながら詳細に説明する。
【００２２】
図１（ａ）は、開閉式使い捨てパンツ１の展開正面図であり、この使い捨てパンツ１は、パンツ本体２と吸収性本体３とを組み合わせて構成されている。
【００２３】
図６（ａ）は、吸収性本体３の正面図、図６（ｂ）は、図６（ａ）のＡ−Ａ線断面図、図７は、図６（ａ）のＢ−Ｂ線断面図である。
【００２４】
上記吸収性本体３は、第１吸収体６と、この第１吸収体６の下に接合部１９により接合された第２吸収体７とを備えている。
【００２５】
第１吸収体６は、親水性の第１トップシート８と、不透液性若しくは撥水性の第１バックシート９との間に第１吸収コア１０が挟み込まれて接合されている。
【００２６】
第２吸収体７は、親水性の第２トップシート１１と、不透液性若しくは撥水性の第２バックシート１２との間の左右両側位置に第２吸収コア１３がそれぞれ挟み込まれて接合されている。
【００２７】
第２バックシート１２の外側には、撥水性シート１４が接合されて、この撥水性シート１４と第２トップシート１１とが接合されることになる。この撥水性シート１４は、肌触りを良くするためのものであるが、撥水性シート１４を省略して、第２バックシート１２を延出させることにより、第２バックシート１２と第２トップシート１１とを接合することも可能である。
【００２８】
第１吸収体６は、砂時計形に形成されているとともに、第２吸収体７は、第１吸収体６よりも大きい砂時計形に形成されている。
【００２９】
第１吸収体６の第１吸収コア１０は、第１吸収体６の外輪郭に沿った砂時計形であるが、第２吸収体７の左右両側位置の第２吸収コア１３は、内縁が第１吸収コア１０の外縁に沿った内向きの湾曲凸形状に形成されているとともに、外縁が第２吸収体７の脚用穴Ｓに沿った内向き湾曲凹形状に形成されている。
【００３０】
そして、第１吸収体６の第１吸収コア１０は、第２吸収体７の左右の第２吸収コア１３間に嵌め込まれるようになっている。なお、図６（ｂ）及び図７では、各素材の位置関係を明らかにするために、第２吸収コア１３に対して第１吸収コア１０が浮いているように描かれているが、実際には、第１吸収コア１０と第２吸収コア１３とは、図８に示すように、略フラット（略偏平）になる。
【００３１】
第１吸収体６の第１吸収コア１０の外縁と第２吸収コア１３の内縁との間の嵌め込み部分には、隙間ｔ（図８参照：例えば３〜１００ｍｍ）が形成されていることが好ましい。
【００３２】
第１吸収体６には、親水性の立ち上がりフラップ１５が設けられている。この立ち上がりフラップ１５は、第１バックシート９の下面に接着された底部１５ａの左右両端から第１吸収体６の両側部に沿って立ち上がり、その上端から内向きに折り返した立ち下げ端部１５ｂには、立ち上がり用弾性部材１６が長さ方向に伸張状態で添設されている。
【００３３】
第１吸収体６の第１トップシート８は、側端部８ａが立ち上げられて、立ち上がりフラップ１５の立ち下げ端部１５ｂに接合されているとともに、第１バックシート９の側端部９ａが立ち上げられて、第１トップシート８の立ち上げ側端部８ａに接合されている。
【００３４】
第１トップシート８の側端部８ａと第１バックシート９の側端部９ａとは、略同じ高さで立ち上がっていることが好ましい。
【００３５】
第１吸収体６の立ち上がりフラップ１５と第１バックシート９との間には、立ち上がり基部付近と立ち上がり中間部付近とに、立ち上がり補助用弾性部材１７ａ、１７ｂがそれぞれ長さ方向に伸張状態で添設されている。この立ち上がり補助用弾性部材１７ａ、１７ｂは、立ち上がりフラップ１５の立ち上がりを確実にするためのものであり、特に、中間部付近の立ち上がり補助用弾性部材１７ｂは、第１吸収コア１０の内向き湾曲凹形状の部分の立ち上がりを確実にするために寄与するものである。なお、立ち上がり補助用弾性部材１７ａ、１７ｂは省略することも可能である。
【００３６】
第２吸収体７の第２トップシート１１と撥水性シート１４との間の両端部には、脚用穴Ｓと第２吸収コア１３との外縁とに沿って脚用弾性部材１８が長さ方向に伸張状態で添設されている。
【００３７】
第１吸収体６と第２吸収体７とは、前後方向の長さは同じに設定され、吸収性本体３としては、後部３ｂの長さは短く、前部３ａの長さは長く設定されていて、各吸収コア１０、１３及び各弾性部材１６、１７ａ、１７ｂ、１８の前後方向の長さは、前部３ａと後部３ｂとの間の中間部３ｃの前後端部付近で止まるように設定されている。
【００３８】
第１吸収体６の立ち上がりフラップ１５の前後端部１５ｃ、１５ｄは、上記吸収性本体３の前部３ａと後部３ｂの長さの範囲で、図７のように、第１トップシート８の上に倒伏した姿勢で接合部２４により接合されている。
【００３９】
上記吸収性本体３の前部３ａの前端側には、第２吸収体７の第２トップシート１１と撥水性シート１４との間に、前ウエスト用弾性部材２０が幅方向に伸張状態で添設されている。なお、後述する第１フック材２１を接合する吸収性本体３の部分に位置する前ウエスト用弾性部材２０は、弱体化処理（切断等）を施して、その伸縮力が第１フック材２１に及ばないようにすることが好ましい。
【００４０】
また、上記吸収性本体３の前部３ａの前端側の両側（前ウエスト用弾性部材２０の両側）には、第２吸収体７の第２トップシート１１にメカニカルファスナーの第１フック材２１が接合されているとともに、前部３ａの後端側の両側には、第２吸収体７の第２トップシート１１と撥水性シート１４との間に挟み込んで取付けた摘み用タブ２２にメカニカルファスナーの第２フック材２３が接合されている。
【００４１】
この左右の摘み用タブ２２の内、図６（ａ）の左側の摘み用タブ２２は、内向きに折り込まれて、その第２フック材２３を第２トップシート（ループ材となる不織布）１１に係止された不使用状態を図示してあり、右側の摘み用タブ２２は、外向きに折り返されて、その第２フック材２３が第２トップシート１１に係止されていない使用状態を図示している。この摘み用タブ２２は、図９（ａ）に示すように、後述する初期形態においては内向きに折り込まれた不使用状態とされている。
【００４２】
ここで、メカニカルファスナーとは、フック部とループ部とが対をなして、両者を強く圧迫すると、フック部とループ部とが相互に外れにくいように係止されるとともに、フック部とループ部とを手で強く引き剥がすと、フック部とループ部との係止が外れるものをいい、面ファスナーとも呼ばれている。
【００４３】
また、不織布製シート自体は、メカニカルファスナーのループ部としての機能も有するので、ループ部を設ける代わりに、不織布シートを利用すれば、ループ部を省略することもできる。なお、メカニカルファスナーに代えて、繰り返して係止・剥離可能な粘着剤であってもよい。
【００４４】
次に、上記吸収性本体３を取り付けるパンツ本体２を説明する。
【００４５】
図１（ａ）は、開閉式使い捨てパンツ１の展開正面図、図１（ｂ）は、パンツ本体２の展開正面図である。
【００４６】
上記パンツ本体２は、前腹部Ｐと後背部Ｑとを組み合わせて構成されている。
【００４７】
上記前腹部Ｐは、図１（ａ）（ｂ）では、右前帯部Ｐ１と左前帯部Ｐ２とに切り離された状態となっているが、切り離し前は、図２及び図４（ａ）のように、ミシン目状の切断線３０で一体的に連結されていて、図４（ｂ）のように、必要な時に切断線３０で切り離せるようになっている。以下で前腹部Ｐと言うときは、切り離し前の連結状態を指すものとする。
【００４８】
上記前腹部Ｐは、図１及び図４（ａ）を参照すれば、内装シート３１と外装シート３２との間に、前帯用弾性部材３３が幅方向に伸張状態で添設されて構成され、この前腹部Ｐの下縁は、円弧状切欠き縁３４ａに形成されている。
【００４９】
上記後背部Ｑは、図１及び図４（ｃ）を参照すれば、内装シート３５と外装シート３６との間に、後ウエスト用弾性部材３７と後ボディフィット用弾性部材３８とが幅方向に伸張状態で添設されるとともに、左右下部の円弧状切欠き縁３４ｂに沿って、かつ上記吸収性本体３の脚用弾性部材１８に繋がるように、脚用弾性部材３９が伸張状態で添設されて構成されている。
【００５０】
上記後ウエスト用弾性部材３７は、後背部Ｑの後縁部に沿って比較的細かいピッチで複数本添設されている一方、後ボディフィット用弾性部材３８は、後ウエスト用弾性部材３７よりも前方側（着用時に臀部を覆う位置）で当該後ウエスト用弾性部材３７よりも粗いピッチで複数本添設されている。その結果、後ウエスト用弾性部材３７は、後ボディフィット用弾性部材３８よりも大きな張力を発揮し得るようになっている。なお、上記のように弾性部材の数量を調整するだけでなく、弾性部材の太さや材質等を調整することによっても、各弾性部材３７、３８の張力に差を付けることが可能である。
【００５１】
上記後背部Ｑの内装シート３５には、上記吸収性本体３の中間部３ｃの一部と後部３ｂとが接合されて組付けられている。なお、吸収性本体３を接合する後背部Ｑの部分に位置する後ボディフィット用弾性部材３８と脚用弾性部材３９とは、弱体化処理を施して、その伸縮力が吸収性本体３に及ばないようにすることが好ましい。
【００５２】
上記前腹部Ｐと後背部Ｑとは、図２のように、左右両端部３４ｃを相互に接合することで（サイドシール）、一体的に組み付けられて、前腹部Ｐと後背部Ｑとの間に胴回りウエスト開口部Ｕ（図５参照）を形成するようになっている。また、吸収性本体３を図３のように二つ折りした時には（詳細は後述する）、後背部Ｑと吸収性本体３との間の両側に脚回り開口Ｓ１（図５参照）が形成されることになり、このとき吸収性本体３の長さ方向の中間部分が股部Ｒとなる。
【００５３】
上記前腹部Ｐの外装シート３２の前面には、横長長方形シート状のループ材４１が接合されている。このループ材４１にも上記切断線３０が形成されていて、上記前腹部Ｐが右前帯部Ｐ１と左前帯部Ｐ２とに切り離される時に、同時に切り離されるようになる。
【００５４】
上記ループ材４１の前方には、上記切断線３０に跨って帯摘み部４２が配置され、この帯摘み部４２の一端部は、接合部４３で右前帯部Ｐ１に接合されるとともに、他端部には、メカニカルファスナーの第３フック材（止着部）４４が接合されている。
【００５５】
この第３フック材４４は、前腹部Ｐの切り離し前は〔図４（ａ）参照〕、上記ループ材４１に係止されているとともに、前腹部Ｐからの切り離し時は〔図４（ｂ）参照〕、上記帯摘み部４２を摘んで上記ループ材４１から引き剥がすようになっている。
【００５６】
上記吸収性本体３を図２の状態から図３のように二つ折りした時は、吸収性本体３の前部３ａの両側の第１フック材２１がループ材４１に係止されて、吸収性本体３が二つ折り状態に保持される（止着される）ようになる。
【００５７】
上記使い捨てパンツ１の製造時は、図３のような状態（初期形態）でパンツ本体２と吸収性本体３とが組み付けられている。なお、この初期形態では、吸収性本体３と両前帯部Ｐ１、Ｐ２とが、吸収性本体３の幅方向両側で仮溶着部Ｋにより接合されている。この仮溶着部Ｋは、熱溶着等により形成され、吸収性本体３と両前帯部Ｐ１、Ｐ２とを剥離可能に接合しており、仮溶着された吸収性本体３と両前帯部Ｐ１、Ｐ２との間には、図９の（ａ）のように、摘み用タブ２２が二つ折りにされて収容されている。
【００５８】
着用者が使い捨てパンツ１を穿く時（介護者が使い捨てパンツ１を穿かせる時）は、ウエスト開口部Ｕから左右の脚を脚回り開口Ｓ１にそれぞれ通して、前腹部Ｐが腹側、後背部Ｑが背側となるように使い捨てパンツ１を引き上げると、前腹部Ｐと後背部Ｑは、各弾性部材２０、３３、３７、３８の収縮力で着用者の胴回りにフィットするとともに、脚回り開口Ｓ１は、各弾性部材１８、３９の収縮力で着用者の脚回りにフィットするようになる。また、吸収性本体３の股部Ｒは、立ち上がった立ち上がりフラップ１５とともに着用者の股回りにフィットするようになる。
【００５９】
そして、着用者が使い捨てパンツ１を脱ぐ時（介護者が使い捨てパンツ１を脱がせる時）は、使い捨てパンツ１を引き下げて、左右の脚を脚回り開口Ｓ１からそれぞれ抜くようにすればよい。
【００６０】
上記使い捨てパンツ１は、下記のような穿き方（穿かせ方）をすることができる。
【００６１】
すなわち、図３に示す初期形態にある使い捨てパンツ１について、仮溶着部Ｋを剥がすとともに、吸収性本体３の第１フック材２１を前腹部Ｐのループ材４１から引き剥がして、図２のように、吸収性本体３を展開状態とする。次いで、図４（ａ）（ｂ）のように、前腹部Ｐの帯摘み部４２を摘んで、第３フック材４４をループ材４１から引き剥がすとともに、前腹部Ｐを切断線３０で切断し、右前帯部Ｐ１と左前帯部Ｐ２とに分断し、図１（ａ）のように、右前帯部Ｐ１と左前帯部Ｐ２とを展開した形態とする。
【００６２】
この状態で、着用者の背側に後背部Ｑを回すとともに、着用者の腹側に右前帯部Ｐ１と左前帯部Ｐ２とを回して、右前帯部Ｐ１の帯摘み部４２を摘んで、第３フック材４４と左前帯部Ｐ２のループ材４１に係止させる。これにより、前腹部Ｐと後背部Ｑが着用者の胴回りにフィットするようになる。
【００６３】
次いで、吸収性本体３を後から前に着用者の股下にくぐらせて二つ折りにしながら、吸収性本体３の第１フック材２１を右前帯部Ｐ１と左前帯部Ｐ２のループ材４１に係止させる。これにより、吸収性本体３が二つ折り状態に保持されて、着用者の股回りにフィットするようになる。
【００６４】
このとき、フック材２３を第２吸収体７の第２トップシート（ループ材となる不織布）１１から引き剥がし、摘み用タブ２２を後方に引っ張りながら右前帯部Ｐ１と左前帯部Ｐ２の外装シート（ループ材となる不織布）３２に係止させる。これにより、脚回り開口Ｓ１が絞られて着用者の脚回りに対してよりフィットするようになる。
【００６５】
そして、着用者が使い捨てパンツ１を脱ぐ時（介護者が使い捨てパンツ１を穿かせる時）は、上記逆の手順、つまり、吸収性本体３前部３ａの両側の摘み用タブ２２を摘んで、第２フック材２３を第２吸収体７の第２トップシート（ループ材となる不織布）１１から引き剥がし、吸収性本体３の第１フック材２１を右前帯部Ｐ１と左前帯部Ｐ２のループ材４１から引き剥がして、右前帯部Ｐ１と左前帯部Ｐ２とを展開させればよい。
【００６６】
なお、上記実施形態では、摘み用タブ２２に対して第２フック材２３を設けるようにしているが、この構成に限定されることはなく、図９（ｂ）のように、上記第１フック材２１の設置位置から吸収性本体３の脚用穴Ｓ付近まで延びる短冊状フック材５０を配設し、この短冊状フック材５０に対して第１フック材２１及び第２フック材２３双方の機能を共有させるようにしてもよい。
【００６７】
すなわち、短冊状フック材５０は、前腹部Ｐのループ材４１に係止して吸収性本体３を二つ折り状態に保持するとともに、その脚用穴Ｓ側の端部を後方に引っ張りながら前腹部Ｐのループ材４１に係止して脚回り開口Ｓ１を絞って着用者の脚回りに吸収性本体３をフィットさせることができる。
【００６８】
また、図９の（ｃ）のように、第２フック材２３を吸収性本体３の前部３ａに直接設けることも可能である。この場合、第２フック材２３は、幅方向について第１フック材２１からずれた位置に配置されていることが好ましく、各第１フック材２１の両外側に配置されるのが最も好ましい。このように配置することにより、矢印Ｙ１に示すように、前腹部Ｐのループ材４１に係止された第１フック材２１を中心として、第２フック材２３を後方に引っ張ることができるので、脚回り開口Ｓ１を容易に絞ることができる。
【００６９】
さらに、上記実施形態では、摘み用タブ２２を吸収性本体３と別部材で構成しているが、これに限定されることはなく、第２吸収体７の第２トップシート１１と撥水性シート１４とを幅方向に延出させた延出部５１に対して第２フック材２３を設けるようにしてもよい。この構成によれば、摘み用タブ２２を吸収性本体３に接合するといった作業が不要となり、使い捨てパンツ１の製造作業の作業性を向上させることができる。
【００７０】
また、上記実施形態では、吸収性本体３の両縁部に第１フック材２１、摘み用タブ２２及び第２フック材２３を形成することとしているが、これに限定されることはなく、例えば、図１の二点鎖線で示すように、後背部Ｑから前方に延長させた延長部Ｑ１の前端部（延長端部）における左右両側縁部に第１フック材１２１及び摘み用タブ１２２をそれぞれ形成し、これら摘み用タブ１２２に対して第２フック材１２３を形成することもできる。この場合、上記吸収性本体３は、後背部Ｑ及び延長部Ｑ１上に接合されることになるが、この吸収性本体３の前ウエスト用弾性部材２０を省略して、左右の第１フック材１２１の間において、延長部Ｑ１上に前ウエスト用弾性部材１２０を形成することが好ましい。
【００７１】
以上説明したように、上記各実施形態によれば、弾性部材３３、３７、３８が着用者の胴回りに沿うように後背部Ｑ及び左右前帯部Ｐ１、Ｐ２に対して添設されているため、両前帯部Ｐ１、Ｐ２を胴回りに巻き付ける場合に後背部Ｑ及び両前帯部Ｐ１、Ｐ２を伸縮させるといった着用時の伸縮性だけでなく、着用後に着用者の胴回りに連続して弾性部材３３、３７、３８が配置される結果、着用後においても充分な伸縮性を発揮することができる。
【００７２】
したがって、本発明では、着用後、身体に対する使い捨てパンツ１の位置を調整する場合に、調整可能な範囲が大きくなり、着用したまま使い捨てパンツ１の位置を調整することができるので、当該パンツ１の利便性を向上させることができる。
【００７３】
後ウエスト用弾性部材３７と後ボディフィット用弾性部材３８とを備えた使い捨てパンツ１によれば、後背部Ｑのウエスト開口部Ｕに対応する個所が大きく縮み、臀部を被覆する個所が比較的緩く縮むこととなり、着用時に使い捨てパンツ１がずれ落ちてしまうのを防止しつつ、後背部Ｑを着用者の臀部にフィットさせることができる。
【００７４】
吸収性本体３の前部３ａに前ウエスト用弾性部材２０を備えた使い捨てパンツ１によれば、左右前帯部Ｐ１、Ｐ２の伸縮性を阻害することなく、当該両前帯部Ｐ１、Ｐ２に対して吸収性本体３を係止することができる。
【００７５】
後背部Ｑと両前帯部Ｐ１、Ｐ２とを別体にした構成によれば、これら両部を別工程で製造することができるので、製造工程の順序等を柔軟に変更することができる。
【００７６】
左右前帯部Ｐ１、Ｐ２に対して第３フック材４４を有する帯摘み部４２を形成した使い捨てパンツ１によれば、着用者は、帯摘み部４２を摘んで右前帯部Ｐ１を伸張させつつ、当該右前帯部Ｐ１を左前帯部Ｐ２に係止することができる一方、帯摘み部４２を左前帯部Ｐ２から剥離させることにより両前帯部Ｐ１、Ｐ２を剥離させることができるので、使い捨てパンツ１の着用及び展開を容易に行うことができる。
【００７７】
初期形態と左右前帯Ｐ１、Ｐ２が分断された形態との間で展開可能とした使い捨てパンツ１によれば、初期形態とされた使い捨てパンツ１を、ズボンを穿くように着用し、着用後、必要が生じた場合（例えば、使い捨てパンツ１の位置ずれを調整する場合）に左右前帯部Ｐ１、Ｐ２を分断して使い捨てパンツ１を展開することができる。
【００７８】
延長部Ｑ１に前ウエスト用弾性部材１２０を備えた構成によれば、両前帯部Ｐ１、Ｐ２の伸縮性を阻害することなく、両前帯部Ｐ１、Ｐ２に対して延長部Ｑ１を止着することができる。
【００７９】
なお、上記実施形態では、胴回りに巻き付けられた左右前帯部Ｐ１、Ｐ２の外側に、吸収性本体３の前端部を係止して着用する使い捨てパンツ１を例に挙げて説明したが、これに限定されることはなく、例えば、着用者の股下を通して前腹側へ二つ折りにされた吸収性本体３の前端部の外側に、胴回りに巻き付けられた左右前帯部Ｐ１、Ｐ２を係止するタイプのパンツにおいても上記と同様の効果を奏することになる。
【００８０】
以下、上記各部材の構成材料等について簡単に説明する。
【００８１】
〔第１トップシート８、第２トップシート１１〕
親水性（透液性）不織布材料が好ましい。例えば、親水性繊維（セルロース、レーヨン、コットン等）を用いた不織布材料、或いは疎水性繊維（ポリプロピレン、ポリエステル、ポリアミド、ナイロン等）の表面を界面活性剤により処理し、透液性とした不織布材料が用いられる。好ましくは、疎水性繊維裏面を界面活性剤により処理し透液性とした目付１０〜３５ｇ／ｍ2の透液性不織布材料（ポイントボンド不織布、エアースルー不織布）である。
【００８２】
〔第１バックシート９、第２バックシート１２〕
撥水性不織布材料（スパンボンド不織布、メルトブロー不織布、ＳＭＳ不織布等）、プラスチックフィルム（通気性であっても非通気性であっても良いが、好適な態様としては通気性プラスチックフィルムが望ましい）やその複合材料が用いられる。好ましくは、目付１５〜５０ｇ／ｍ2の通気性ポリエチレンフィルムである。
【００８３】
〔第１吸収コア１０、第２吸収コア１３〕
粉砕したパルプ繊維やセルロース繊維等の親水性繊維集合層に粒状の高分子吸水体を混合した吸収性コアを、ティッシュペーパーなどの紙シート或いは透液性不織布シート等の被覆シートで包んで、所定形状（長方形、砂時計型、ひょうたん型等）に成形した吸収体である。上記繊維や高分子吸水体をシート状に成形したシート状吸収体（例えば、エアレイド吸収体）等を、所定形状に成形して用いても構わない。また、着用者が歩いたり、寝返りを打ったりしても形状を保持できるように、親水性繊維集合層中やシートに形状保持手段（ホットメルト接着剤の塗布、合成繊維の混合）を施しても構わない。
【００８４】
〔撥水性シート１４〕
第２バックシート１２にプラスチックフィルムを使用した時に、肌触りを良くするためのものであって、撥水性不織布材料（スパンボンド不織布、メルトブロー不織布、ＳＭＳ不織布等）が好ましい。
【００８５】
〔立ち上がりフラップ１５〕
親水性の場合は、第１、第２トップシート８、１１と同様の不織布材料が好ましい。撥水性の場合は、第１、第２バックシート９、１２と同様の不織布材料が好ましい。
【００８６】
〔弾性部材１６、１７ａ、１７ｂ、１８、２０、３３、３７、３８、３９〕
通常使い捨ておむつに用いられる弾性伸縮材料（ポリウレタン糸、ポリウレタンフィルム、天然ゴム等）が用いられて、ホットメルト接着剤、熱接着、超音波接着など好適な添設手段でもって添設される。好ましくは、ゴム系のホットメルト接着剤である。また、繊度３００〜２０００デシテックスのポリウレタン糸を、倍率１．１〜５．０倍に伸張して添設するのが好ましい。
【００８７】
〔内装シート３１〕
撥水性不織布材料（スパンボンド不織布、メルトブロー不織布、ＳＭＳ不織布等）が用いられる。好ましくは、目付１０〜３５ｇ／ｍ2の撥水性不織布材料である。また、内面のみを親水化〔界面活性剤を塗布する或いは親水性繊維（レーヨン、コットン等）の層を作る〕しても良く、この場合には、肌に当接した場合の感触が良くなり、吸汗効果も期待できる。
【００８８】
〔外装シート３２〕
通気性のある撥水性不織布材料（スパンボンド不織布、メルトブロー不織布、ＳＭＳ不織布等）が用いられる。好ましくは、目付１０〜３５ｇ／ｍ2の撥水性不織布材料である。
【００８９】
〔各シート材料の接合〕
上記各シート材料の接合は、ホットメルト接着剤、熱接合、超音波シール等の方法が適宜用いられる。ホットメルト接着剤については、ゴム系、ポリオレフィン系、酢酸ビニル系等のホットメルト接着剤から適切に選定して、直接的なコーター塗布、間接的なスパイラル塗布、メルトブロー（カーテンスプレー）塗布、ビード塗布等の方法で塗布する。なお、サイドシールの接合には、熱接合が好ましい。
【図面の簡単な説明】
【００９０】
【図１】（ａ）は開閉式使い捨てパンツの展開正面図、（ｂ）はパンツ本体の展開正面図である。
【図２】開閉式使い捨てパンツの前腹部が右前帯部と左前帯部とに切り離される前の正面図である。
【図３】開閉式使い捨てパンツの吸収性本体を二つ折りにして係止した状態の正面図である。
【図４】（ａ）は前腹部の切断線部分の切断前の断面図、（ｂ）前腹部の切断線部分の切断後の断面図、（ｃ）は後背部の断面図である。
【図５】開閉式使い捨てパンツの組み付け側面図である。
【図６】（ａ）は吸収性本体の正面図、（ｂ）は（ａ）のＡ−Ａ線断面図である。
【図７】図６（ａ）のＢ−Ｂ線断面図である。
【図８】第１吸収コアと第２吸収コアの上下位置関係を示す断面図である。
【図９】初期形態の使い捨てパンツの一部を拡大して示す正面図であり、（ａ）は摘み部が折り畳まれた状態、（ｂ）は別の実施形態に係る第２フック材、（ｃ）はさらに別の実施形態に係る第２フック材、（ｄ）は摘み部を吸収性本体と一体的に形成した実施形態をそれぞれ示している。
【符号の説明】
【００９１】
１    使い捨てパンツ
２    パンツ本体
３    吸収性本体
２０、１２０    前ウエスト用弾性部材
３０    切断線
３３    前帯用弾性部材
３７    後ウエスト用弾性部材
３８    後ボディフィット用弾性部材
４２    帯摘み部
４４    第３フック材
Ｐ１    右前帯部
Ｐ２    左前帯部
Ｑ    後背部
Ｑ１    延長部
Ｕ    ウエスト開口部
【図１】
2005270359.tif 000003
【図２】
2005270359.tif 000004
【図３】
2005270359.tif 000005
【図４】
2005270359.tif 000006
【図５】
2005270359.tif 000007
【図６】
2005270359.tif 000008
【図７】
2005270359.tif 000009
【図８】
2005270359.tif 000010
【図９】
2005270359.tif 000011